(57)【要約】【課題】巻き付け操作の操作性を良好にすることができる衛生材及びワインディングテープを提供する。【解決手段】一実施形態に係る衛生材は、不織布Ｎと、不織布Ｎに貼り付けられるワインディングテープ１０と、を備え、ワインディングテープ１０は、不織布Ｎに固定される固定部１１と、固定部１１を起点として伸縮する伸縮部１２と、ワインディングテープ１０の長手方向Ｄにおける伸縮部１２の両端側のそれぞれに設けられ、不織布Ｎに着脱可能とされる係止部１３と、を有する。【選択図】図６
2020174961.tif 000002
【特許請求の範囲】
【請求項１】
不織布と、
前記不織布に貼り付けられるワインディングテープと、
を備え、
前記ワインディングテープは、
前記不織布に固定される固定部と、
前記固定部を起点として伸縮する伸縮部と、
前記ワインディングテープの長手方向における前記伸縮部の両端側のそれぞれに設けられ、前記不織布に着脱可能とされる係止部と、
を有する衛生材。
【請求項２】
前記係止部は、フックの雄材を含む、
請求項１に記載の衛生材。
【請求項３】
前記ワインディングテープは、前記不織布の吸収体の長手方向に沿うように貼り付けられる、
請求項１又は２に記載の衛生材。
【請求項４】
前記ワインディングテープは、前記衛生材の腰回り方向に沿うように貼り付けられる、
請求項１又は２に記載の衛生材。
【請求項５】
前記固定部の幅が前記長手方向の両端側に向かうに従って細くなっている、
請求項１〜４のいずれか一項に記載の衛生材。
【請求項６】
前記固定部は波形とされている、
請求項１〜４のいずれか一項に記載の衛生材。
【請求項７】
不織布に貼り付けられるワインディングテープであって、
伸縮部と、
前記ワインディングテープの長手方向における前記伸縮部の両端側のそれぞれに設けられ、前記不織布に着脱可能とされる係止部と、
を備えるワインディングテープ。
【請求項８】
前記係止部は、フックの雄材である、
請求項７に記載のワインディングテープ。
【請求項９】
一対の前記係止部の間に設けられると共に前記不織布に固定される固定部を備える、
請求項７又は８に記載のワインディングテープ。
【請求項１０】
前記固定部は、粘着材によって構成されている、
請求項９に記載のワインディングテープ。
【請求項１１】
前記不織布に貼り付けられる前にロール状とされている、
請求項７〜１０のいずれか一項に記載のワインディングテープ。
【請求項１２】
前記伸縮部の引張強度が１０Ｎ／２５ｍｍ以上である、
請求項７〜１１のいずれか一項に記載のワインディングテープ。
【発明の詳細な説明】
【技術分野】
【０００１】
本開示の一側面は、衛生材及びワインディングテープに関する。
【背景技術】
【０００２】
特許文献１には、使い捨てのパンツ型着用物品としておむつが記載されている。おむつは、ウエスト周り方向へ延びる環状の弾性ウエストパネルと、弾性ウエスト接合パネルと接合される吸収性シャーシとを備える。弾性ウエストパネルは、前ウエスト域に位置する前ウエストパネルと、後ウエスト域に位置する後ウエストパネルとから構成される。後ウエストパネルには、テープファスナが取り付けられる。
【０００３】
後ウエスト域の外面に固定された一対のテープファスナのそれぞれは、断面Ｚ字型に折り畳まれた１枚のテープであるベースシートを含む。テープファスナは、テープファスナの一端に位置すると共に接合域を介して後ウエスト域の外面に剥離不能に固定された近位部と、第１折曲部を介して近位部から折り曲げられており且つ近位部に重なる第１遠位部と、第２折曲部を介して第１遠位部から折り曲げられており且つ第１遠位部に重なる第２遠位部とを含む。
【０００４】
第２遠位部からは、前述した第１折曲部を介して摘持部が延び出しており、摘持部及び第２遠位部と、第１遠位部と、近位部とがＺ字状に積層されている。第１遠位部と第２遠位部との間には、感圧性接着剤から形成された掛止め域（ファスニング域）が配置されている。テープファスナを使用するときには、摘持部を指で摘まんで掛止め域を剥離して第２遠位部を第１遠位部から離間させる。そして、Ｚ字状とされていた第２遠位部及び第１遠位部を開いて第２遠位部に接合された掛止め域を前ウエスト域に貼り付けることにより、後ウエスト域を前ウエスト域に接合しておむつを丸めることが可能となる。
【先行技術文献】
【特許文献】
【０００５】
【特許文献１】特開２０１５−１３４０１８号公報
【発明の概要】
【発明が解決しようとする課題】
【０００６】
前述したＺ字状に積層されているテープファスナは、第２遠位部を第１遠位部から離間させるときに、感圧性接着剤から形成された掛止め域が露出する。従って、摘持部を摘まんで第２遠位部を第１遠位部から離間させるときに掛止め域が指等に付着することがあり、使いづらいことがある。また、前述したテープファスナでは、近位部が後ウエスト域の外面に剥離不能に固定されており、第１遠位部、第２遠位部及び摘持部は、近位部を起点として開かれる。従って、近位部の位置が固定されているため、テープファスナの長さによっては掛止め域を前ウエスト域に貼り付けづらいことがあり、貼り付ける操作の操作性において改善の余地がある。
【０００７】
また、前述しＺ字状のテープファスナでは、摘持部及び第２遠位部を第１遠位部から離間させる操作、並びに、第１遠位部を近位部から離間させる操作、の２段階の操作が必要となるため、この点でも操作性において改善の余地がある。また、この種のテープでは、衛生材の状況又は巻き付け方に応じてテープの貼り付ける場所を移動させたいことがある。しかしながら、前述のテープファスナでは、一端の近位部が剥離不能に固定されているため、テープの貼り付ける場所をほとんど移動させることができない。以上のように、テープファスナでは、衛生材を巻き付ける操作の操作性において改善の余地がある。
【課題を解決するための手段】
【０００８】
本開示の一側面に係る衛生材は、不織布と、不織布に貼り付けられるワインディングテープと、を備え、ワインディングテープは、不織布に固定される固定部と、固定部を起点として伸縮する伸縮部と、ワインディングテープの長手方向における伸縮部の両端側のそれぞれに設けられ、不織布に着脱可能とされる係止部と、を有する。
【０００９】
前述した一側面に係る衛生材では、固定部を起点として伸縮材が伸縮し、伸縮材の両端側のそれぞれに、不織布に着脱可能とされる係止部を備える。よって、固定部を起点として伸縮材が伸縮するので、ワインディングテープの位置を不織布の所望の位置に伸ばすことができる。その結果、衛生材を所望の巻き付け方で巻き付けることができる。すなわち、固定部から伸縮部が伸びる方向を変更することによってワインディングテープが伸びる方向を変更できるので、種々の巻き付け方で衛生材を巻き付けることができる。従って、衛生材の巻き付け操作の操作性を良好にすることができる。また、伸縮部の両端側のそれぞれに係止部が設けられるので、伸縮部を所望の位置に伸ばすと共に不織布の任意の位置に係止部を係止させることができる。従って、伸縮部を伸ばすときにワインディングテープの長さ及び向きを変更することによって、不織布における係止部の係止位置及び方向を適宜変更することができる。すなわち、不織布の任意の位置、及び任意の方向に係止部を止めることができる。従って、ワインディングテープの巻き付け操作の操作性を更に高めることができる。
【００１０】
前述した衛生材において、係止部は、フックの雄材であってもよい。
【００１１】
前述した衛生材において、ワインディングテープは、不織布の吸収体の長手方向に沿うように貼り付けられてもよい。
【００１２】
前述した衛生材において、ワインディングテープは、衛生材の腰回り方向に沿うように貼り付けられてもよい。
【００１３】
固定部の幅が長手方向の両端側に向かうに従って細くなっていてもよい。
【００１４】
固定部は波形とされていてもよい。
【００１５】
本開示の一側面に係るワインディングテープは、不織布に貼り付けられるワインディングテープであって、伸縮部と、ワインディングテープの長手方向における伸縮部の両端側のそれぞれに設けられ、不織布に着脱可能とされる係止部と、を備える。
【００１６】
前述した一側面に係るワインディングテープでは、伸縮可能な伸縮材の両端側のそれぞれに、不織布に着脱可能とされる係止部を備える。従って、伸縮部の両端側のそれぞれに不織布に着脱可能とされる係止部が設けられるので、不織布に対するワインディングテープの貼り付け位置を所望の位置に変更することができる。よって、伸縮部によって伸縮可能であると共に係止部の係止位置を変更可能であるため、衛生材を所望の方法で巻き付けることができる。その結果、衛生材の巻き付け操作の操作性を良好にすることができる。また、このワインディングテープでは、剥離不能な部位を不要とすることができるため、不織布に対するワインディングテープの位置を更に容易に変更することができる。従って、ワインディングテープの巻き付け操作の操作性を更に高めることができる。
【００１７】
前述したワインディングテープにおいて、係止部は、フックの雄材を含んでいてもよい。
【００１８】
前述したワインディングテープにおいて、一対の係止部の間に設けられると共に不織布に固定される固定部を備えてもよい。
【００１９】
前述したワインディングテープにおいて、固定部は、粘着材によって構成されていてもよい。
【００２０】
前述したワインディングテープは、不織布に貼り付けられる前にロール状とされていてもよい。
【００２１】
前述したワインディングテープにおいて、伸縮部の引張強度が１０Ｎ／２５ｍｍ以上であってもよい。
【発明の効果】
【００２２】
本開示の一側面によれば、巻き付け操作の操作性を良好にすることができる。
【図面の簡単な説明】
【００２３】
【図１】図１は、実施形態に係るワインディングテープ及び衛生材を模式的に示す図である。
【図２】図２（ａ）、図２（ｂ）及び図２（ｃ）のそれぞれは、ワインディングテープの種々の例を示す図である。
【図３】図１のワインディングテープの係止部の層構造を模式的に示す図である。
【図４】図１のワインディングテープがロール状とされた状態の例を示す斜視図である。
【図５】図１の衛生材にワインディングテープを載せる工程の例を示す図である。
【図６】図１のワインディングテープによって衛生材を巻き付ける操作の例を示す図である。
【図７】図６の操作における図５の衛生材の裏側に位置する係止部の例を示す図である。
【図８】図８（ａ）は、図６とは別の方法で衛生材を巻き付ける操作の例を示す図である。図８（ｂ）は、図８（ａ）の操作における図８（ａ）の衛生材の裏側に位置する係止部の例を示す図である。
【図９】図９は、変形例に係るワインディングテープ及び衛生材を模式的に示す図である。
【図１０】図１０（ａ）は、図９のワインディングテープによって衛生材を巻き付け操作の例を示す図である。図１０（ｂ）は、図１０（ａ）の操作における図１０（ａ）の衛生材の裏側に位置する係止部の例を示す図である。
【図１１】図１１は、別の変形例に係るワインディングテープ及び衛生材を模式的に示す図である。
【図１２】図１２（ａ）は、図１１のワインディングテープによって衛生材を巻き付ける操作の例を示す図である。図１２（ｂ）は、図１２（ａ）の操作における図１２（ａ）の衛生材の裏側に位置する係止部の例を示す図である。
【発明を実施するための形態】
【００２４】
以下では、添付図面を参照しながら本開示に係る衛生材及びワインディングテープを実施するための形態について詳細に説明する。図面の説明において、同一又は相当する要素には同一の符号を付し、重複する説明を適宜省略する。また、図面は、理解の容易のため、一部を簡略化又は誇張して描いている場合があり、寸法比率等は図面に記載のものに限定されない。
【００２５】
本明細書において「ワインディングテープ」は、丸められた衛生材を止めるテープを示しており、例えば、丸められた廃棄対象の衛生材を丸められた状態で止める廃棄テープを含む。「丸められた」とは、丸める、折り曲げる、又は巻く等によってまとめられた状態を示している。「衛生材」は、衛生状態を維持するために用いられる物であって、例えば、使い捨ての資器材を含む。「衛生材」は、例えば、使い捨ておむつ、生理用ナプキン、及び失禁パッド等の吸収性物品、並びに、止血用テープ等の衛生用品を含む。
【００２６】
「不織布」は、繊維を機械的作用又は化学的作用によって接着又は絡み合わせることによって布とされたものを示している。「吸収体」は、液体を吸収可能な部位又は部材を示している。「固定部」は、ある物に固定される部分又は部材を示しており、「係止部」は、ある物に係止される部分又は部材を示している。「係止」は、着脱可能に取り付けられることを示しており、ある２つの物が位置固定された状態で止められた状態を含む。
【００２７】
「伸縮部」は、伸縮可能な態様を示しており、例えば、指等で伸ばすことによって任意の長さに変更可能な部分又は部材を示している。「フック」は物を引っ掛ける部位又は部材を示している。「フックの雄材」は、例えば、メカニカルファスナー等に設けられた複数の微細な突出部位を示しており、「フックの雌材」はフックの雄材が引っ掛けられる複数の微細な輪状の部位を示している。
【００２８】
図１は、実施形態に係る衛生材１及びワインディングテープ１０を模式的に示す正面図である。図１では、一例としてパンツ型のおむつである衛生材１を示している。但し、おむつとしての衛生材１は、テープ型（オープン型）又はパッド型等であってもよく、おむつの種類は適宜変更可能である。
【００２９】
例えば、衛生材１は使い捨ておむつである。衛生材１は、腰回り方向に延在するウエスト開口部２と、一対のレッグ開口部３と、一対のレッグ開口部３の間に位置する吸収体４とを備える。衛生材１は、腹側部６（図８（ｂ）参照）と、腹側部６の裏側に位置する背中側部５とを備えており、例えば、背中側部５を構成する不織布Ｎにはワインディングテープ１０が貼り付けられている。吸収体４は、例えば、長方形状を成しており、腹側部６から背中側部５に向かって延在している。
【００３０】
ワインディングテープ１０は、例えば、吸収体４の長手方向に沿うように貼り付けられる。ワインディングテープ１０は、不織布Ｎに固定される固定部１１と、固定部１１のワインディングテープ１０の長手方向Ｄの両側のそれぞれに設けられる伸縮部１２と、各伸縮部１２の長手方向Ｄの両側のそれぞれに設けられる一対の係止部１３とを有する。係止部１３は、ワインディングテープ１０の長手方向Ｄの端部に達していてもよいし、達していなくてもよい。例えば、固定部１１は、ワインディングテープ１０の長手方向Ｄの中央を含む領域において不織布Ｎに固定される部位である。係止部１３は、例えば、不織布Ｎの任意の位置に着脱可能とされる部位である。
【００３１】
固定部１１は、例えば、粘着材によって構成されていてもよく、感圧接着剤（ＰＳＡ）であってもよい。但し、固定部１１は、溶着（ウェルディング）によって不織布Ｎに固定された溶着部であってもよいし、ホットメルト粘着剤によって不織布Ｎに固定された粘着部であってもよいし、パウダータイプの熱溶着樹脂（ＰＥパウダー）によって固定された部位であってもよい。このように、固定部１１の材料は特に限定されない。固定部１１は、例えば、不織布Ｎに剥離不能に固定されている。しかしながら、固定部１１は、不織布Ｎに剥離可能に固定されていてもよく、再剥離性のＰＳＡによって構成されていてもよい。
【００３２】
伸縮部１２は、例えば、単層のエラスティックフィルムである。なお、伸縮部１２は、エラストマーを含むコア層、コア層の両主面のそれぞれに設けられたスキン層を有する３層構造を備えていてもよい。伸縮部１２のスキン層の材料は、例えば、ポリプロピレン樹脂（ＰＰ）であるが適宜変更可能である。
【００３３】
伸縮部１２はエラストマーを含んでおり、伸縮部１２のエラストマーは、例えば、オレフィン系エラストマー、スチレン−イソプレン・ブロック・コポリマー（ＳＩＳ）、及びポリウレタン系熱可塑性エラストマーを含む。但し、伸縮部１２の材料は、特に限定されない。例えば、伸縮部１２の厚さは、５μｍ以上且つ５００μｍ以下であってもよいし、２０μｍ以上且つ２００μｍ以下であってもよいし、一例として４０μｍであってもよい。
【００３４】
図２（ａ）に示されるように、例えば、ワインディングテープ１０は、長手方向Ｄ及び幅方向Ｂに延在する長方形状を成している。一例として、ワインディングテープ１０の長手方向Ｄの中央に固定部１１が設けられており、固定部１１を起点として固定部１１の長手方向Ｄの両側のそれぞれに伸縮部１２及び係止部１３が設けられている。各係止部１３は、伸縮部１２の更に長手方向Ｄの両端側に設けられており、一例として、ワインディングテープ１０の長手方向Ｄの両端のそれぞれに設けられている。
【００３５】
図２（ａ）に示される例において、固定部１１は円形状とされている。固定部１１の幅Ｗ１（幅方向Ｂの長さ）は、ワインディングテープ１０の長手方向Ｄの両端側に向かうに従って細くなっている。すなわち、固定部１１の幅方向Ｂの両側に形成される空き部分Ｐが長手方向Ｄの両端側に向かうに従って広くなっている。これにより、固定部１１を起点として伸縮部１２の方向を変更しやすくすることができる。すなわち、伸縮部１２が伸縮可能であることにより、伸縮部１２が伸びる方向は固定部１１を起点として変更可能とされている。
【００３６】
固定部１１の形状は、前述した円形状に限られず、図２（ｂ）に例示されるように多角形状（一例として四角形状又は菱形状）であってもよい。この場合も、固定部１１の幅Ｗ１が長手方向Ｄの両端側に向かうに従って細くなる、すなわち、伸縮部１２の各空き部分Ｐが長手方向Ｄの両端側に向かうに従って広くなる。これにより、図２（ａ）の固定部１１と同様の効果が得られる。
【００３７】
また、固定部１１の形状、大きさ、数、材料及び配置態様は前述の例に限られず適宜変更可能である。例えば、固定部１１は、波形とされていてもよい。更に、図２（ｃ）に示されるように、伸縮部１２の形状も適宜変更可能であり、例えば、幅方向Ｂに突出する突出部１２ｂが形成された十字状であってもよい。この場合、例えば、突出部１２ｂの幅方向Ｂの端部のそれぞれに係止部１３が設けられていてもよい。
【００３８】
係止部１３は、ワインディングテープ１０の長手方向Ｄにおける伸縮部１２の両端側のそれぞれに設けられる。ここで、「ワインディングテープの長手方向」は固定部から伸縮部が延び出す方向を示しており、「長手方向を有するワインディングテープ」は長方形状でなくてもよい。「長手方向を有するワインディングテープ」は、図２（ｃ）に例示される十字状等、長方形以外の形状も含んでいる。
【００３９】
すなわち、「長手方向を有するワインディングテープ」は、少なくとも一部に長く延在する部分を有していればよく、当該部分以外の形状がたとえ別の方向に長く延びていたとしても（例えば、図２（ｃ）等のように横方向に長手方向Ｄを有するワインディングテープ１０の一部が縦方向に長く延びていたとしても）、当該形状のテープは「長手方向を有するワインディングテープ」に含まれる。
【００４０】
係止部１３の色彩は、例えば、伸縮部１２の色彩とは異なっていてもよい。一例として、伸縮部１２の色彩が白色であり、係止部１３の色彩が白色以外の色（例えば青色）であってもよい。このように、係止部１３の色彩が伸縮部１２の色彩と異なることにより、係止部１３を分かりやすくすることができる。なお、伸縮部１２が透明であり、且つ係止部１３が不透明であってもよい。
【００４１】
係止部１３は、例えば、四角形状（一例として長方形状）とされている。しかしながら、各係止部１３の形状、大きさ、数及び配置態様は適宜変更可能である。図３に示されるように、係止部１３は、例えば、粘着層１４を介して伸縮部１２に固定されたベース部１３ｂと、ベース部１３ｂから突出する複数の突起である雄材１３ｃとを備える。係止部１３は、例えば、雄材１３ｃを有するフックである。粘着層１４は例えばＰＳＡである。
【００４２】
係止部１３の材料は、限定されない。係止部１３は、非粘着性の材料によって構成されていてもよい。この場合、係止部１３を指で摘まむ等の操作をしても、指等に係止部１３が付着しないので、ワインディングテープ１０で衛生材１を巻き付ける操作の操作性を更に向上させることができる。
【００４３】
例えば、係止部１３の材料は、熱可塑性樹脂であってもよく、具体例として、ポリプロピレン樹脂（ＰＰ）、ポリエチレン樹脂（ＰＥ）、塩化ビニル樹脂（ＰＶＣ）、エチル・メチル・メタクリレート樹脂（ＥＭＭＡ）、エチル・アクリレート樹脂（ＥＡ）、及びエチレン−酢酸ビニルコポリマー（ＥＶＡ）樹脂、又はこれらの２種以上の混合物等でもよい。なお、ＰＥは、低密度ポリエチレン（ＬＤＰＥ）、高密度ポリエチレン（ＨＤＰＥ）、又は直鎖状低密度ポリエチレン（ＬＬＤＰＥ）等が挙げられる。更に、係止部１３の材料は、上記の樹脂等に添加剤が添加されたものであってもよい。
【００４４】
次に、衛生材１の不織布Ｎにワインディングテープ１０を貼り付ける衛生材１の製造方法の例について図４及び図５を参照しながら説明する。図４は、不織布Ｎに貼り付けられる前のワインディングテープ１０のロール状部材Ｒ１を模式的に示す斜視図である。図５は、衛生材１を構成する不織布Ｎ及びワインディングテープ１０の流れを模式的に示す図である。
【００４５】
図４及び図５に例示されるように、ワインディングテープ１０は、不織布Ｎに貼り付けられる前にはロール状部材Ｒ１とされており、ロール状部材Ｒ１から延在する部分が当該部分の幅方向に切断されることによってワインディングテープ１０が形成される。衛生材１の不織布ＮはロールＲ２から搬送され、搬送された不織布Ｎ（衛生材１の背中側部５）に一定間隔ごとにワインディングテープ１０が貼り付けられる。
【００４６】
このとき、例えば、ワインディングテープ１０は吸収体４の長手方向に沿うように貼り付けられる。但し、ワインディングテープ１０は吸収体４の長手方向に交差する方向に沿うように貼り付けられてもよい。そして、ワインディングテープ１０が貼り付けられた不織布Ｎが切断された後に、ワインディングテープ１０が貼り付けられた衛生材１が完成する。
【００４７】
次に、図６及び図７を参照しながら、ワインディングテープ１０で衛生材１を巻き付ける方法の例について説明する。まず、図６に示されるように、衛生材１を吸収体４の長手方向に沿って丸めた状態として、ワインディングテープ１０の長手方向Ｄの両端のそれぞれに設けられた係止部１３を指で摘まんで固定部１１を起点として伸縮部１２を互いに異なる方向に引き伸ばす。そして、図７に示されるように、各伸縮部１２を伸ばした状態として各係止部１３を不織布Ｎの固定部１１から離れた位置に係止した後に、ワインディングテープ１０による衛生材１の巻き付けが完了する。
【００４８】
図８（ａ）及び図８（ｂ）は、ワインディングテープ１０で衛生材１を巻き付ける別の方法の例を示す図である。図８（ａ）に示されるように、背中側部５に固定されたワインディングテープ１０の一対の係止部１３のそれぞれを摘まむと共に一対の伸縮部１２のそれぞれを吸収体４の長手方向に交差する方向（一例として吸収体４に直交する方向）に回転させる。そして、例えば、背中側部５を腹側部６に折り畳み各係止部１３を折り畳んだ背中側部５及び腹側部６の上にまで延ばし、各係止部１３を背中側部５の両側に係止してワインディングテープ１０による衛生材１の巻き付けが完了する。衛生材１の巻き付けが完了した後は、例えば、ワインディングテープ１０が巻き付けられた衛生材１を袋に収容し、当該袋を縛り付けた状態としてダストボックス等に廃棄する。
【００４９】
次に、本実施形態に係る衛生材１及びワインディングテープ１０の作用効果について説明する。
【００５０】
衛生材１では、固定部１１を起点として伸縮部１２が伸縮し、伸縮部１２の両端側のそれぞれに、不織布Ｎに脱着可能とされる係止部１３を備える。よって、固定部１１を起点として伸縮部１２が伸縮するので、ワインディングテープ１０の位置を不織布Ｎの所望の位置に伸ばすことができる。その結果、衛生材１を所望の巻き付け方で巻き付けることができる。すなわち、固定部１１から伸縮部１２が伸びる方向を変更することによって、ワインディングテープ１０が伸びる方向を変更できるので、種々の巻き付け方で衛生材１を巻き付けることができる。従って、衛生材１の巻き付け操作の操作性を良好にすることができる。
【００５１】
また、伸縮部１２の両端側のそれぞれに係止部１３が設けられるので、伸縮部１２を任意の位置に伸ばすと共に不織布Ｎの任意の位置に係止部１３を不織布Ｎに係止することができる。従って、伸縮部１２を伸ばすときにワインディングテープ１０の長さ及び向きを変更することによって、不織布Ｎに対する係止部１３の係止位置を適宜変更することができる。すなわち、不織布Ｎの任意の位置に係止部１３を止めることができる。従って、ワインディングテープ１０の巻き付け操作の操作性を更に高めることができる。
【００５２】
係止部１３は、フックの雄材１３ｃを含んでいてもよい。この場合、係止部１３が指等に接着しないので、ワインディングテープ１０を衛生材１に巻き付ける操作を一層効率よく行うことができる。
【００５３】
ワインディングテープ１０は、吸収体４の長手方向に沿うように貼り付けられてもよい。この場合、衛生材１の製造工程において不織布Ｎにワインディングテープ１０を載せる工程を容易に行うことができる。従って、衛生材１の製造を容易に行うことができる。なお、ワインディングテープ１０は、衛生材１の腰回り方向（例えば、吸収体４の長手方向に直交する方向）に沿うように貼り付けられてもよい。
【００５４】
図２（ａ）及び図２（ｂ）に例示されるように、固定部１１の幅Ｗ１がワインディングテープ１０の長手方向Ｄの両端側に向かうに従って細くなってもよい。この場合、固定部１１が長手方向Ｄの両端側に向かうに従って細くなるので、固定部１１を基準として伸縮部１２を回転しやすくすることができる。従って、伸縮部１２を任意の方向に伸ばしやすくすることができるので、操作性を更に向上させることができる。更に、固定部１１は波形とされていてもよい。
【００５５】
ワインディングテープ１０において、一対の係止部１３の間に設けられると共に不織布Ｎに固定される固定部１１を備えてもよい。この場合、一対の係止部１３、及び一対の伸縮部１２の間に固定部１１が設けられる。従って、ワインディングテープ１０を任意の方向、及び任意の位置に引き伸ばすことを可能としつつ、固定部１１においてワインディングテープ１０の位置を安定させることができる。
【００５６】
ワインディングテープ１０において、固定部１１は、粘着材によって構成されていてもよい。この場合、衛生材１の製造工程における固定部１１の固定を粘着材によって容易に行うことができる。
【００５７】
ワインディングテープ１０は、不織布Ｎに貼り付けられる前にロール状とされていてもよい。この場合、ワインディングテープ１０の製造及び管理を容易に行うことができる。
【００５８】
ワインディングテープ１０において、伸縮部１２の引張強度が１０Ｎ／２５ｍｍ以上であってもよい。なお、伸縮部１２の引張強度は、引張方向が幅方向Ｂであり、幅方向Ｂの長さ（チャック間の距離）が２５ｍｍであり、チャックスピードが５０ｍｐｍであるときの値を示している。この場合、伸縮部１２の強度が１０Ｎ／２５ｍｍ以上であることにより、引っ張ったときに伸縮部１２がちぎれる可能性をより低減させることができる。
【００５９】
次に、別の例に係るワインディングテープ２０について図９を参照しながら説明する。図９は、ワインディングテープ２０が貼り付けられた衛生材１の例を示す図である。ワインディングテープ２０は、固定部１１を有しない点において、前述したワインディングテープ１０と異なっている。以下では、前述したワインディングテープ１０と重複する説明を適宜省略する。ワインディングテープ２０は、伸縮部１２と、ワインディングテープ２０の長手方向Ｄにおける伸縮部１２の両端側のそれぞれに設けられる係止部１３とを備える。ワインディングテープ２０は、例えば、不織布Ｎに剥離不能とされる部位を有しないので、不織布Ｎの任意の位置にワインディングテープ２０を移動することが可能である。
【００６０】
続いて、図９、図１０（ａ）及び図１０（ｂ）を参照しながらワインディングテープ２０で衛生材１を巻き付ける方法の例について説明する。まず、図９に示されるように、吸収体４の長手方向に交差する方向にワインディングテープ２０が延在するようにワインディングテープ２０を背中側部５の不織布Ｎに配置する。このとき、例えばワインディングテープ２０の長手方向Ｄの両端側のそれぞれに位置する係止部１３を不織布Ｎに貼り付ける。
【００６１】
次に、図１０（ａ）及び図１０（ｂ）に示されるように、不織布Ｎに貼り付けられた一対の係止部１３のうちの一方を指等で摘まんで伸縮部１２を吸収体４の長手方向に交差する方向に伸ばしつつ、腹側部６が内側、背中側部５が外側を向くように衛生材１を吸収体４の長手方向に沿って丸める。そして、伸ばした伸縮部１２及び一方の係止部１３を他方の係止部１３の反対側に回り込ませて当該一方の係止部１３を不織布Ｎに係止する。このように、一方の係止部１３を他方の係止部１３の反対側に回り込ませて不織布Ｎに係止することにより、ワインディングテープ２０による衛生材１の巻き付けが完了する。
【００６２】
図１１、図１２（ａ）及び図１２（ｂ）は、ワインディングテープ２０で衛生材１を巻き付ける別の方法を示す図である。図１１に示されるように、吸収体４の長手方向に沿ってワインディングテープ２０が延在するように、ワインディングテープ２０を背中側部５の不織布Ｎに配置する。そして、図１２（ａ）及び図１２（ｂ）に示されるように、一対の係止部１３のうちの一方を指等で摘まんで伸縮部１２を吸収体４の長手方向に伸ばしつつ、不織布Ｎを当該長手方向に丸め、丸めた不織布Ｎに当該係止部１３を係止する。このように、一方の係止部１３を丸めた不織布Ｎに係止してワインディングテープ２０による衛生材１の巻き付けが完了する。
【００６３】
以上、ワインディングテープ２０では、伸縮可能な伸縮部１２の両端側のそれぞれに、不織布Ｎに着脱可能とされる係止部１３を備える。従って、伸縮する伸縮部１２の両端側のそれぞれに不織布Ｎに着脱可能とされる係止部１３が設けられるので、不織布Ｎに対するワインディングテープ２０の貼り付け位置を任意の位置に変更することができる。従って、伸縮部１２によって伸縮可能にされると共に係止部１３の係止位置を変更可能であるため、衛生材１を所望の方法で巻き付けることができる。その結果、衛生材１の巻き付け操作の操作性を良好にすることができる。また、ワインディングテープ２０では、剥離不能な部位を有しないため、ワインディングテープ２０そのものの位置を変更することができる。従って、ワインディングテープ２０の巻き付け操作の操作性を更に高めることができる。
【００６４】
以上、本開示に係る衛生材及びワインディングテープの実施形態について説明した。しかしながら、本発明は、前述した実施形態に限定されるものではない。本発明は、特許請求の範囲に記載した要旨を変更しない範囲において種々の変形が可能である。例えば、前述したように、衛生材及びワインディングテープを構成する各部の形状、大きさ、数、材料及び配置態様は適宜変更可能である。例えば、前述の実施形態では、円形状又は多角形状の固定部１１について説明した。しかしながら、固定部の形状は、楕円を含む長円形状、又は波形形状等であってもよく、適宜変更可能である。
【符号の説明】
【００６５】
１…衛生材、２…ウエスト開口部、３…レッグ開口部、４…吸収体、５…背中側部、６…腹側部、１０，２０…ワインディングテープ、１１…固定部、１２…伸縮部、１２ｂ…突出部、１３…係止部、１３ｂ…ベース部、１３ｃ…雄材、１４…粘着層、Ｂ…幅方向、Ｄ…長手方向、Ｎ…不織布、Ｐ…空き部分、Ｒ１…ロール状部材、Ｒ２…ロール、Ｗ１…幅。
【図１】
2020174961.tif 000003
【図２】
2020174961.tif 000004
【図３】
2020174961.tif 000005
【図４】
2020174961.tif 000006
【図５】
2020174961.tif 000007
【図６】
2020174961.tif 000008
【図７】
2020174961.tif 000009
【図８】
2020174961.tif 000010
【図９】
2020174961.tif 000011
【図１０】
2020174961.tif 000012
【図１１】
2020174961.tif 000013
【図１２】
2020174961.tif 000014